(57)【特許請求の範囲】
【請求項１】
流体組成物、リザーバ及びインクジェットヘッドを含む送達システムであって、
前記流体組成物が、該組成物の６０重量％〜１００重量％の香料を含み、該香料は１以上の香料材料を含み、前記香料が２５０℃未満の沸点を有し、
前記リザーバが、前記流体組成物を収容し、かつ少なくとも部分的に毛管要素を含み、該毛管要素は前記リザーバから前記流体組成物を引き上げるための要素であり、
前記インクジェットヘッドが、前記毛管要素と流体連通し、前記インクジェットヘッドが前記流体組成物を空気中に放出する、送達システム。
【請求項２】
前記香料の沸点が１５０℃未満である、請求項１に記載の送達システム。
【請求項３】
前記流体組成物が、液体マトリックス中に分散される粒子状物質としての、混合物中に存在する固体粒子を含まない、請求項１に記載の送達システム。
【請求項４】
前記香料が、８００〜１５００のＫＩを有する、１以上の香料材料を含む、請求項１に記載の送達システム。
【請求項５】
前記香料が、イソノニルアセテート、ジヒドロミルセノール（３−メチレン−７−メチルオクタン−７−オール）、リナロール（３−ヒドロキシ−３，７−ジメチル−１，６オクタジエン）、ゲラニオール（３，７ジメチル−２，６−オクタジエン−１−オール）、ｄ−リモネン（１−メチル−４−イソプロペニル−１−シクロヘキセン）、ベンジルアセテート、イソプロピルミリステート、及びこれらの混合物からなる群から選択される、１以上の香料材料を含む、請求項１に記載の送達システム。
【請求項６】
前記インクジェットヘッドが熱インクジェットヘッドである、請求項１に記載の送達システム。
【請求項７】
動きセンサ、光センサ、流体検出センサ、臭気検出センサ、及びこれらの組み合わせからなる群から選択されるセンサを更に備える、請求項１に記載の送達システム。
【請求項８】
前記インクジェットヘッドが、１６〜３２個のノズルを備え、１時間当たり前記流体組成物の５ｍｇ〜４０ｍｇを空気中に送達する、請求項１に記載の送達システム。
【請求項９】
前記インクジェットヘッドが８〜３２個のノズルを備え、前記８〜３２個のノズルの各ノズルから前記流体組成物の１〜４ピコリットルを空気中に放出する、請求項１に記載の送達システム。
【請求項１０】
前記香料のうち３重量％〜２５重量％が、２００℃未満の沸点を有する１以上の香料材料である、請求項１に記載の送達システム。
【発明の詳細な説明】
【技術分野】
【０００１】
本発明は、改善された香料混合物を含むインクジェット送達システム及び香料混合物を空気中に送達する方法に関する。
【背景技術】
【０００２】
香料混合物などの揮発性組成物を通電（すなわち電動／電池式）噴霧システムにより空気中に送達するための様々なシステムが存在する。このような試みには、Ｒｅｃｋｉｔｔ  ＢｅｎｃｋｉｓｅｒによりＡＩＲＷＩＣＫの商標名で販売されている電池式自動エアゾールエアフレッシュナーが挙げられる。別の試みは、Ｓ．Ｃ．Ｊｏｈｎｓｏｎ  ＆  ＳｏｎによりＧＬＡＤＥの商標名で販売されている、揮発性組成物を流体液滴にして空気中に噴霧する圧電アクチュエータである。
【発明の概要】
【発明が解決しようとする課題】
【０００３】
最近の試みは、インクジェットヘッドを用いて香りを送達するようになってきている。しかしながら、これらの試みは、インク系香料入り流体を基材又は表面媒体上に印刷することを目的とする。したがって、インクジェット送達システムにより香料混合物を空気中に有効に送達する必要性が依然として存在する。
【課題を解決するための手段】
【０００４】
一実施形態では、組成物の約５０重量％〜約１００重量％の香料混合物を含む流体組成物であって、該香料混合物の約３重量％〜約２５重量％が２５０℃未満の沸点を有する、流体組成物と、該流体組成物を空気中に送達するためのインクジェットヘッドと、を含む、送達システムが提供される。
【０００５】
別の実施形態では、組成物の約５０重量％〜約１００重量％の香料混合物を含む流体組成物であって、該香料混合物の約３重量％〜約２５重量％が２００℃未満の沸点を有する、流体組成物と、該流体組成物を収容し、少なくとも部分的にウイックを含む、リザーバと、該ウイックと流体連通し、８〜３２個のノズルを備える、インクジェットヘッドであって、該インクジェットヘッドが該８〜３２個の各ノズルから該流体組成物の１〜４ピコリットルを空気中に放出する、インクジェットヘッドと、を含む、送達システムが提供される。
【発明を実施するための形態】
【０００６】
本発明は、インクジェット及び揮発性組成物を含む送達システム、並びにこのような揮発性組成物をインクジェットにより空気中に送達する方法を提供する。
【０００７】
送達システムは、流体組成物を収容するリザーバ、インクジェットヘッド、電源、及びこのような要素を収容するためのハウジングを含み得る。当然のことながら、送達システムは、以下の説明に記載された、又は図面に示された構成成分の構成及び配置に限定されない。本発明は、他の実施形態に適用可能であり、又は様々な方法で実施若しくは実行される。
【０００８】
インクジェットヘッド
本発明の送達システムは、一般にインクジェット印刷に用いられるインクジェットヘッドを使用する。インクジェット印刷の２つの主な種類として、「ドロップオンデマンド」及び「連続」インクジェット印刷がある。
【０００９】
連続インクジェット印刷では、インクは、圧力下でインクジェットノズルに供給され、小オリフィスを介して押し出される。ノズルから出る前に、加圧されたインク流は、通電されたセラミック結晶を通過する。この電流は、ＡＣ電流の周波数に等しい圧電振動をもたらす。次に、この振動は、連続したインク流からインク液滴を生じさせる。インク流は、等間隔かつ同サイズの連続した一連の液滴に分離する。ジェットを取り囲んで、液滴が帯電電極で流体の流れから分離する箇所で、帯電電極と液滴流との間に電圧が印加される。液滴が流れから分離するとき、各液滴は、分離する瞬間の印加電圧に比例する電荷を帯びる。帯電電極の電圧を液滴の発生と同じ速度で変えることにより、全ての液滴を所定の値に帯電させることができる。液滴流は、その進行を続け、定電位に維持された２枚の偏向板の間を通過する。この界の存在で、液滴は、帯電した電荷に比例する量だけ偏向板の一方に向かって偏向する。帯電していない液滴は、偏向せず、ガターに収集されてインクノズルに再利用される。帯電し、したがって偏向したそれらの液滴は、液滴の偏向方向に直角に高速で移動する基材に衝突する。個々の液滴の電荷を変えることにより、所望のパターンを印刷することができる。
【００１０】
一般的な「ドロップオンデマンド」インクジェット印刷方法では、流体インクは、急速圧力インパルスにより微小液滴の形態で、直径が一般に約５〜５０マイクロメートル（０．００２４インチ）の極小オリフィスを介して圧力下で押し出される。急速圧力インパルスは、一般に、高周波で振動する圧電結晶の伸張、又は急速加熱サイクルによるインク内での揮発性組成物（例えば、溶媒、水、噴射剤）の揮発のいずれかにより、印刷ヘッドで生成される。圧電結晶の伸張は、結晶の振動数に比例して微小液滴としてインクをオリフィスに通過させる。熱インクジェットプリンタは、印刷ヘッド内の加熱素子を使用し、流体の大部分をオリフィスノズルを介して押し出す組成物の一部を揮発させ、加熱素子のオンオフのサイクル数に比例して液滴を形成する。インクは、必要に応じてノズルから押し出され、所望の像の部分として基材にスポットを印刷する。微小液滴は、連続インクジェット印刷にあるように電荷を得るために通電されて偏向してもよい。従来のインクジェットプリンタは、米国特許第３，４６５，３５０号及び同第３，４６５，３５１号により詳細に記載されている。
【００１１】
別の種類のインクジェット印刷方法は、静電界を使用し、ノズルを介してインクを基材に引き寄せる、静電インクジェット方法である。帯電したインク液滴は、受容基材の背後にある逆帯電した圧盤に引き寄せられる。このような装置は、Ｔｅｃｈｎｏｌｏｇｙ  Ｉｎｔｅｒｎａｔｉｏｎａｌ  Ｃｏｒｐ．（Ｂｏｕｌｄｅｒ，Ｃｏｌｏｒａｄｏ）によりＥＳＩＪＥＴの商標名で開発されている。
【００１２】
本発明は、上記のインクジェットヘッド送達方法のいずれかを使用してもよいが、本発明のインクジェットヘッドは、約２５ｍｍ2未満であり得るインクジェットヘッドで１ノズル当たり１〜４ピコリットル、あるいは１ノズル当たり１〜２ピコリットルの流体組成物を送達する、８〜４８個のノズル、あるいは８〜３２個のノズル、あるいは８〜１６個のノズル、あるいは８〜１２個のノズルの膜を含んでもよい。いくつかの実施形態では、インクジェットヘッドは、１時間当たり約５ｍｇ〜約４０ｍｇの流体組成物を空気中に送達する。本発明に好適な膜の種類の１つは、米国特許出願公開第２０１０／０１５４７９１０号に記載されるようなＭＥＭ技術により得られるノズル集積膜である。
【００１３】
リザーバ
送達システムは、流体組成物を収容するリザーバを含む。いくつかの実施形態では、リザーバは、約５〜約５０ｍｌの流体組成物、あるいは約１０〜約３０ｍｌの流体組成物、あるいは約１５〜約２０ｍｌの流体組成物を収容するように構成される。送達システムは、複数のリザーバを有するように構成されてもよく、各々は、同じ又は異なる組成物を含む。リザーバは、交換可能（例えば、リフィル）であるように、別個の構成体として形成されてもよい。リザーバは、流体組成物を収容するのに好適な任意の材料で製造され得る。容器に好適な材料には、ガラス及びプラスチックが挙げられるが、これらに限定されない。そのようなリザーバの例は、市場で容易に入手可能である。
【００１４】
リザーバは、流体組成物をリザーバから引き上げてインクジェットエンジンの流体供給口と接触するように毛管路を形成する、多数の相互連結する連続気泡を含む、繊維性又は多孔性ウイックなどの任意の市販のウイッキング材料から作製される毛管要素を含み得る。毛管要素に好適な組成の非限定的な例には、ポリエチレン、超高分子量ポリエチレン（polyethelene）（ＵＨＭＷ）、ナイロン６（Ｎ６）、ポリプロピレン（ＰＰ）、ポリエステル繊維、エチルビニルアセテート、ポリエーテルスルホン、ポリビニリデンフルオリド（ＰＶＤＦ）、及びポリエーテルスルホン（ＰＥＳ）、ポリテトラフルオロエチレン（ＰＴＦＥ）、並びにこれらの組み合わせが挙げられる。
【００１５】
いくつかの実施形態では、毛管要素は、香料混合物の香気を収容するのに役立つように高密度ウイック組成物であってもよい。一実施形態では、毛管要素は、高密度ポリエチレン（ＨＤＰＥ）から選択されるプラスチック材料から製造される。本明細書で使用するとき、高密度ウイック組成物には、約２０マイクロメートル〜約１５０マイクロメートル、あるいは約３０マイクロメートル〜約７０マイクロメートル、あるいは約３０マイクロメートル〜約５０マイクロメートル、あるいは約４０マイクロメートル〜約５０マイクロメートルの範囲の孔径又は相当孔径（例えば、繊維系ウイックの場合）を有する、当該技術分野において既知である任意の従来のウイック材料が挙げられる。
【００１６】
いくつかの実施形態では、毛管要素は、ポリウレタン発泡体を含まない。多くのインクジェットカートリッジは、時間と共に（例えば、２又は３か月後に）香料混合物と不適合になり得る、かつ化学変化を起こし得る、連続気泡ポリウレタン発泡体を使用する。
【００１７】
製造材料にかかわらず、毛管要素は、約１０マイクロメートル〜約５００マイクロメートル、あるいは約５０マイクロメートル〜約１５０マイクロメートル、あるいは約７０マイクロメートルの平均孔径を呈し得る。ウイックの平均細孔容積は、約１５％〜約８５％、あるいは約２５％〜約５０％である。ウイックが約３８％の平均細孔容積を有するという良好な結果が得られている。毛管要素は、例えば、約１ｍｍ〜約１００ｍｍ、又は約５ｍｍ〜約７５ｍｍ、又は約１０ｍｍ〜約５０ｍｍの様々な長さであってもよい。
【００１８】
毛管要素は、流体組成物と流体連通し、少なくとも部分的にリザーバの外側に延出し得る。いくつかの実施形態では、毛管要素は、リザーバの壁によって完全に取り囲まれてもよい。送達システムの構成に応じて、流体組成物は、毛管要素を上下に移動できる。リザーバから流出した後、流体組成物は、インクジェットヘッドが流体を空気中に噴霧するために流体を引き込む保持タンクまで下流に移動し続けてもよい。
【００１９】
いくつかの実施形態では、送達システムは、毛管要素と保持タンクとの間の流路内に位置付けられる流体チャネルを含み得る。チャネルは、リザーバ及び保持タンクが互いに横方向に配設される構成に有用であり得る。毛管要素からリザーバの中心まで測定した場合のチャネルの長さは、約１２ｍｍ、あるいは約１３ｍｍ、あるいは約１４ｍｍ、あるいは約１５ｍｍ、あるいは約１１ｍｍ、あるいは約１０ｍｍであり得る。
【００２０】
流体組成物
インクジェット送達システム内で十分に動作するように、流体組成物の多くの特性が考慮される。いくつかの要因には、インクジェットヘッドからの放出に最適な粘度を有する流体の配合、インクジェットヘッドを詰まらせる浮遊物質を限られた量のみ含む、又は含まない流体の配合、インクジェットヘッドを乾燥及び目詰まりさせないために十分安定な流体の配合などが挙げられる。ただし、インクジェット送達システム内で十分に動作することは、香料混合物を５０重量％超有する流体組成物をインクジェット送達システムから適切に噴霧し、空気清浄又は悪臭減少組成物として有効に送達するために必要な要件の一部に対処するにすぎない。
【００２１】
本発明の流体組成物は、２０センチポアズ（「ｃｐ」）未満、あるいは１８ｃｐ未満、あるいは１６ｃｐ未満、あるいは約５ｃｐ〜約１６ｃｐ、あるいは約８ｃｐ〜約１５ｃｐの粘度を呈し得る。また、揮発性組成物は、約３５未満、あるいは約２０〜約３０ダイン／ｃｍの表面張力を有し得る。粘度は、高感度ダブルギャップ構造と共に、Ｂｏｈｌｉｎ社製ＣＶＯのレオメーターシステムを使用して決定されるとき、ｃｐｓで表される。
【００２２】
いくつかの実施形態では、流体組成物は、粒子状物質が液体マトリックス内に分散された混合物中に存在する浮遊物質又は固体粒子を含まない。浮遊物質を含まないことは、一部の香料物質の特性である溶解物質と区別することができる。
【００２３】
本発明の流体組成物は、流体組成物の約５０重量％超、あるいは約６０重量％超、あるいは約７０重量％超、あるいは約７５重量％超、あるいは約８０重量％超、あるいは約５０重量％〜約１００重量％、あるいは約６０重量％〜約１００重量％、あるいは約７０重量％〜約１００重量％、あるいは約８０重量％〜約１００重量％、あるいは約９０重量％〜約１００重量％の量で存在する香料混合物を含む。いくつかの実施形態では、流体組成物は全て香料混合物（すなわち１００重量％）からなってよい。
【００２４】
香料混合物は、１つ以上の香料物質を含み得る。香料物質は、物質の沸点（「Ｂ．Ｐ．」）に基づいて選択される。本明細書において言及するＢ．Ｐ．は、１０１ｋＰａ（７６０ｍｍ  Ｈｇ）の通常の標準気圧の下で測定される。標準１０１ｋＰａ（７６０ｍｍ  Ｈｇ）における多くの香料成分のＢ．Ｐ．は、例えば、Ｓｔｅｆｆｅｎ  Ａｒｃｔａｎｄｅｒにより書かれ、１９６９年に出版された「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」に見出すことができる。
【００２５】
本発明では、香料混合物は、２５０℃未満、あるいは２２５℃未満、あるいは２００℃未満、あるいは約１５０℃未満、あるいは約１２０℃未満、あるいは約１００℃未満、あるいは約５０℃〜約２００℃、あるいは約１１０℃〜約１４０℃のＢ．Ｐ．を有し得る。いくつかの実施形態では、香料混合物の約３重量％〜約２５重量％が２００℃未満のＢ．Ｐ．を有し、あるいは香料混合物の約５重量％〜約２５重量％が２００℃未満のＢ．Ｐ．を有する。
【００２６】
表１は、本発明の香料混合物に好適ないくつかの非限定的かつ例示的な個々の香料物質を列挙する。
【００２７】
【表１】
0006039813.tif 000002
【００２８】
表２は、２００℃未満の総Ｂ．Ｐ．を有する例示的な香料混合物を示す。
【００２９】
【表２】
0006039813.tif 000003
【００３０】
本発明の流体組成物を処方する場合、溶媒、希釈剤、増量剤、固定剤、増粘剤などを含んでもよい。これらの材料の非限定的な例は、エチルアルコール、カルビトール、ジエチレングリコール、ジプロピレングリコール、ジエチルフタレート、トリエチルシトレート、イソプロピルミリステート、エチルセルロース、及びベンジルベンゾエートである。
【００３１】
いくつかの実施形態では、流体組成物は、機能性香料構成成分（「ＦＰＣ」）を含み得る。ＦＰＣは、従来の有機溶媒又は揮発性有機化合物（「ＶＯＣ」）に類似する蒸発特性を有する香料原料の種類である。本明細書で使用するとき、「ＶＯＣ」とは、２０℃での測定において０．０３ｋＰａ（０．２ｍｍ  Ｈｇ）超の蒸気圧を有し、かつ香料の蒸発に役立つ、揮発性有機化合物を意味する。例示的なＶＯＣとしては、以下の有機溶媒、すなわち、ジプロピレングリコールメチルエーテル（「ＤＰＭ」）、３−メトキシ−３−メチル−１−ブタノール（「ＭＭＢ」）、揮発性シリコーン油、及びジプロピレングリコールのメチル、エチル、プロピル、ブチルエステル、エチレングリコールメチルエーテル、エチレングリコールエチルエーテル、ジエチレングリコールメチルエーテル、ジエチレングリコールエチルエーテル、又は商標名がＤｏｗａｎｏｌ（商標）のグリコールエーテルの任意のＶＯＣが挙げられる。ＶＯＣは、通常、香料の蒸発を補助するために流体組成物中で２０％超の濃度で使用される。
【００３２】
本発明のＦＰＣは、香料物質の蒸発を補助し、快楽的芳香利益を提供し得る。ＦＰＣは、組成物全体としての香料の性質に負の影響を与えずに比較的高濃度で用いることができる。したがって、いくつかの実施形態では、本発明の流体組成物は、ＶＯＣを実質的に含まなくてもよく、これは、流体組成物が、組成物の１８重量％以下、あるいは６重量％以下、あるいは５重量％以下、あるいは１重量％以下、あるいは０．５重量％以下のＶＯＣを有することを意味する。いくつかの実施形態では、揮発性組成物は、ＶＯＣを含まなくてもよい。
【００３３】
ＦＰＣとして好適な香料物質は、上で定義されるように、約８００〜約１５００、あるいは約９００〜約１２００、あるいは約１０００〜約１１００、あるいは約１０００のＫＩを有し得る。
【００３４】
ＦＰＣとしての使用に好適な香料物質はまた、所定の香料特性の香気を留めておくために、臭気検出閾値（「ＯＤＴ」）及び非極性香気特性を用いて定義することができる。ＯＤＴは、炎イオン及び嗅ぎ口を装備する商用ＧＣを用いて測定され得る。ＧＣを較正して、シリンジにより注入される正確な物質体積、正確なスプリット比、並びに既知の濃度及び鎖長分布の炭化水素標準物質を用いた炭化水素反応を決定する。空気流量を正確に測定し、ヒトの吸入の時間が１２秒間持続すると仮定して、サンプリングした体積を計算する。任意の時点における検出器での正確な濃度は既知であるので、吸入された体積当たりの質量も既知であり、物質の濃度を計算することができる。物質が５０ｐｐｂ未満の閾値を有するかどうかを決定するために、逆算された濃度の溶液を嗅ぎ口に送達させる。パネリストは、ＧＣ溶出液の臭いを嗅ぎ、臭気が認められる保持時間を確認する。全てのパネリストの平均により、認識性の閾値を決定する。必要量の検体をカラムに注入して、検出器における濃度を５０ｐｐｂにする。ＯＤＴを求めるための典型的なＧＣパラメータを以下に記載する。機器に添付されている指針に従って試験を実施する。
【００３５】
機器：
ＧＣ：ＦＩＤ検出器を備える５８９０シリーズ（Ａｇｉｌｅｎｔ  Ｔｅｃｈｎｏｌｏｇｉｅｓ，Ｉｎｄ．（Ｐａｌｏ  Ａｌｔｏ，Ｃａｌｉｆｏｒｎｉａ，ＵＳＡ））
７６７３オートサンプラー（Ａｇｉｌｅｎｔ  Ｔｅｃｈｎｏｌｏｇｉｅｓ，Ｉｎｄ．（Ｐａｌｏ  Ａｌｔｏ，Ｃａｌｉｆｏｒｎｉａ，ＵＳＡ））
カラム：ＤＢ−１（Ａｇｉｌｅｎｔ  Ｔｅｃｈｎｏｌｏｇｉｅｓ，Ｉｎｄ．（Ｐａｌｏ  Ａｌｔｏ，Ｃａｌｉｆｏｒｎｉａ，ＵＳＡ））
長さ３０メートル、ＩＤ  ０．２５ｍｍ、膜厚１マイクロメートル（分離させるための選択的分割を提供する毛管の内壁上のポリマー層）。
【００３６】
【表３】
0006039813.tif 000004
【００３７】
ＦＰＣは、約１．０十億分率（「ｐｐｂ」）超、あるいは約５．０ｐｐｂ超、あるいは約１０．０ｐｐｂ超、あるいは約２０．０ｐｐｂ超、あるいは約３０．０ｐｐｂ超、あるいは約０．１百万分率超のＯＤＴを有し得る。
【００３８】
一実施形態では、本発明の流体組成物中のＦＰＣは、約９００〜約１４００、あるいは約１０００〜約１３００の範囲のＫＩを有し得る。これらのＦＰＣは、エーテル、アルコール、アルデヒド、アセテート、ケトン、又はこれらの混合物のいずれであってもよい。
【００３９】
ＦＰＣは、揮発性が高く、Ｂ．Ｐ．の低い香料物質であり得る。例示的なＦＰＣとして、イソノニルアセテート、ジヒドロミルセノール（３−メチレン−７−メチルオクタン−７−オール）、リナロール（３−ヒドロキシ−３，７−ジメチル−１，６オクタジエン）、ゲラニオール（３，７ジメチル−２，６−オクタジエン−１−オール）、ｄ−リモネン（１−メチル−４−イソプロピペニル−１−シクロヘキセン）、ベンジルアセテート、イソプロピルミリステート、及びこれらの混合物が挙げられる。表３は、特定のＦＰＣの例示的な特性のおおよその報告値を列挙する。
【００４０】
【表４】
0006039813.tif 000005
【００４１】
香料混合物中のＦＰＣの総量は、香料混合物の約５０重量％超、あるいは約６０重量％超、あるいは約７０重量％超、あるいは約７５重量％超、あるいは約８０重量％超、あるいは約５０重量％〜約１００重量％、あるいは約６０重量％〜約１００重量％、あるいは約７０重量％〜約１００重量％、あるいは約７５重量％〜約１００重量％、あるいは約８０重量％〜約１００重量％、あるいは約８５重量％〜約１００重量％、あるいは約９０重量％〜約１００重量％、あるいは約１００重量％であり得る。いくつかの実施形態では、香料混合物は全てＦＰＣ（すなわち１００重量％）からなってよい。
【００４２】
更に詳細に本発明を説明する目的で、表４に、ＦＰＣ、並びにＫＩ及びＢ．Ｐ．の報告されたおおよその値を含む、非限定的な例示的流体組成物を列挙する。
【００４３】
【表５】
0006039813.tif 000006
【００４４】
流体組成物は、香料混合物に加えて又はその代わりに他の揮発性物質を含み得ることが考えられ、これには、揮発性色素；殺虫剤として機能する組成物；調湿、改良、ないしは別の方法で環境を変えるように（例えば、睡眠、起床、呼吸器の健康などの状態を補助するように）機能する精油若しくは物質；脱臭剤若しくは悪臭制御組成物（例えば、反応性アルデヒドなどの臭気中和物質（米国特許出願公開第２００５／０１２４５１２号に開示されるようなもの）、臭気遮断物質、臭気マスキング物質、又はイオノンなどの感覚改善物質（同様に同第２００５／０１２４５１２号に開示される））が挙げられるが、これらに限定されない。
【００４５】
追加的な機能
ファン
本発明の別の態様では、送達システムは、室内への充満を補助するために、及び表面を損傷し得る大きな液滴の付着が周囲表面に付かないようにするために、ファンを備えてもよい。ファンは、１〜１０００立方センチメートル／分、あるいは１０〜１００立方センチメートル／分の空気を供給する、空気清浄システム用に当該技術分野で使用される任意の既知のファンであってもよい。
【００４６】
センサ
いくつかの実施形態では、送達システムは、空気中の光、騒音、動き、及び／又は臭気レベルなどの環境的刺激に応答する市販のセンサを含み得る。例えば、送達システムは、光を検知したときに電源が入り、及び／又は光を検知しないときに電源が切れるようにプログラムされ得る。別の例では、送達システムは、センサがセンサの近くに移動する人を感知したときに電源を入れることができる。センサはまた、空気中の臭気レベルを監視するために使用され得る。臭気センサを使用して、必要なときに、送達システムの電源を入れる、熱若しくはファンの速度を増加させる、及び／又は送達システムからの流体組成物の送達を増大することができる。
【００４７】
センサはまた、枯渇する前にリザーバの「寿命終了」を示唆するように、リザーバ内の流体レベルを測定するために使用され得る。このような場合、ＬＥＤ光が点灯し、リザーバの充填又は新しいリザーバとの交換が必要なことを知らせてもよい。
【００４８】
センサは、送達システムのハウジングと一体であってもよく、又はリモートコンピュータ若しくは携帯スマートデバイス／電話などの遠隔位置にあってもよい（すなわち送達システムのハウジングとは物理的に離れていてもよい）。センサは、低エネルギーのＢｌｕｅ  ｔｏｏｔｈ（blue tooth）、６  ＬｏＷ  ＰＡＮ無線（6 low pan radios）、又は任意の他のデバイス及び／若しくはコントローラ（例えば、スマートホン若しくはコンピュータ）との無線通信手段により、送達システムと遠隔通信してもよい。
【００４９】
ポータブル／バッテリ
送達システムは、コンパクトで、容易に携帯できるように構成され得る。そのような場合、送達システムは、電池で動作し得る。送達システムは、９ボルト電池、「Ａ」、「ＡＡ」、「ＡＡＡ」、「Ｃ」、及び「Ｄ」電池などの従来の乾電池、ボタン電池、時計用バッテリ、太陽電池、並びに再充電基部を伴う再充電可能バッテリのような電気供給源を用いて使用することが可能であり得る。
【００５０】
プログラミング
送達システムは、正確な強度レベル及び送達速度（ミリグラム／時）を設定するためにプログラム可能な電子機器を含み得る。あるいは、送達システムの電子回路は、ユーザが個人的な好み、有効性、又は部屋の大きさに合わせて流体組成物の送達の強度及び／又はタイミングを調整できるようにし得る。例えば、送達システムは、ユーザが選択する５段階の強度レベルと、６、１２、又は２４時間毎に流体組成物を送達するユーザ選択オプションと、を提供してもよい。
【００５１】
複数のリザーバ送達システムにおいて、マイクロプロセッサ及びタイマは、異なる時間に、かつ選択された期間にわたって個別のリザーバから流体組成物を放出するように取り付けることができ、これは、米国特許第７，２２３，３６１号に記載されているように、交互放出パターンで揮発性組成物を放出することを含む。加えて、送達システムは、プログラム可能であるので、ユーザは放出ための一定の組成物を選択することができる。香りの香料が同時に放出される場合、カスタマイズされた香りが空気中に送達され得る。
【００５２】
本明細書全体を通じて、単数で言及される構成成分は、単数又は複数両方の当該構成成分について言及されると理解されるべきである。
【００５３】
本明細書に記述される全ての百分率は、特に指定のない限り、重量による。
【００５４】
本明細書全体を通じて記載されるあらゆる数値範囲には、こうしたより広い数値範囲内に入るそれよりも狭いあらゆる数値範囲が、こうしたそれよりも狭い数値範囲が全て本明細書に明確に記載されているかのように、包含される。例えば、「１〜１０」の規定された範囲は、最小値１から最大値１０の間の（かつ最小値１及び最大値１０を包含する）任意の及び全ての部分範囲、すなわち、最小値１又はそれ以上で始まり、最大値１０又はそれ以下で終わる全ての部分範囲（例えば１〜６．１、３．５〜７．８、５．５〜１０など）を含むと見なされるべきである。
【００５５】
更に、本明細書に開示されている寸法及び値は、列挙した正確な数値に厳しく制限されるものとして理解すべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００５６】
相互参照されるか又は関連する全ての特許又は特許出願を含む、本願に引用される全ての文書を、特に除外すること又は限定することを明言しない限りにおいて、その全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００５７】
本発明の特定の実施形態が記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。